(57)【要約】  本発明は、有価券を運搬および／または保管するための装置（２０）に関する。前記装置（２０）は、巻胴（１，３０）を有する巻取蓄積装置を含む。さらに前記装置（２０）は、前記巻胴（１，３０）の回転運動を検出するためのセンサ（２６，３４）も有する。
2013525926.tif 000002
【特許請求の範囲】
【請求項１】
有価券を運搬および／または保管するための装置であって、
前記有価券を蓄積するための巻胴（１，３０）を有する巻取蓄積装置（２０）を備えている、装置において、
前記巻胴（１，３０）の回転運動を検出するためのセンサ（２６，３４）が設けられている
ことを特徴とする、装置。
【請求項２】
前記巻胴（１，３０）は、シャフト（２２，３２）の長手軸を中心として回転可能であるように、該シャフト（２２，３２）を介して支承されており、
前記センサ（２６，３４）は、前記シャフト（２２，３２）の回転運動を検出する、
請求項１記載の装置。
【請求項３】
蓄積された前記有価券を無効にするための無価値化ユニット、とりわけ、蓄積された該有価券を着色するためのインクユニットと、該無価値化ユニットを制御するための制御ユニットとが設けられている、
請求項１または２記載の装置。
【請求項４】
前記センサ（２６，３４）が前記巻胴（１，３０）の回転運動を検出した場合、前記制御ユニットは前記無価値化ユニットを作動させる、
請求項３記載の装置。
【請求項５】
アクティベートモードでは、前記センサ（２６，３４）が前記巻胴（１，３０）の回転運動を検出した場合、前記制御ユニットは前記無価値化ユニットを作動させ、
デアクティベートモードでは、前記センサ（２６，３４）が前記巻胴（１，３０）の回転運動を検出した場合、前記制御ユニットは前記無価値化ユニットを作動させない、
請求項３記載の装置。
【請求項６】
アクティベートモードでは、前記センサ（２６，３４）が前記巻胴（１，３０）の回転運動を検出した場合、前記制御ユニットは前記無価値化ユニットを作動させ、
前記センサ（２６，３４）がデアクティベートモードにある場合、該センサ（２６，３４）が前記巻胴（１，３０）の回転運動を検出しないように、該センサ（２６，３４）はデアクティベートされている、
請求項３記載の装置。
【請求項７】
蓄積された有価券を取り出すために前記巻胴（１，３０）を回転させなければならない方向である繰り出し方向での該巻胴（１，３０）の回転運動を、前記センサ（２６，３４）が検出した場合にのみ、前記制御ユニットは前記無価値化ユニットを作動させる、
請求項４から６までのいずれか１項記載の装置。
【請求項８】
前記装置は、該装置の向きの変化を検出するための位置センサ、および／または、該装置の加速度を検出するための加速度センサ、および／または、該装置の衝撃状の負荷を検出するための衝撃センサを含み、
記憶部品の記憶領域内に、前記向きの変化の事前設定された最大許容可能な限界値、および／または、前記加速度の限界値、および／または、前記衝撃状の負荷の限界値が記憶されており、
前記向きの変化および／または加速度および／または衝撃状の負荷が検出されると、前記制御ユニットは、前記センサによって求められた値と、それぞれ対応する限界値とを比較し、
少なくとも１つの求められた値が、対応する限界値を超える場合、前記制御ユニットはこれに関する情報を有するデータを記憶部品の記憶領域に記憶し、
前記限界値を超えた後、事前設定された期間中に前記センサ（２６，３４）が前記巻胴（１，３０）の回転運動を検出した場合、前記制御ユニットは前記無価値化ユニットを作動させる、
請求項３から７までのいずれか１項記載の装置。
【請求項９】
前記事前設定された期間は第１の期間であり、
事前設定された第２の期間以内に少なくとも１つの限界値を、少なくとも事前設定された頻度で超えたことを、前記制御ユニットが検出した場合にのみ、前記制御ユニットは前記無価値化ユニットを作動させる、
請求項８記載の装置。
【請求項１０】
前記センサ（２６，３４）はホールセンサを含む、
請求項１から９までのいずれか１項記載の装置。
【請求項１１】
前記装置は現金カセットを含み、
前記現金カセット内に、前記巻取蓄積装置（２０）と前記センサ（２６，３４）とが収容されている、
請求項１から１０までのいずれか１項記載の装置。
【請求項１２】
請求項１から１０までのいずれか１項記載の装置を含むことを特徴とする、現金カセット（２０）。
【発明の詳細な説明】
【技術分野】
【０００１】
本発明は、有価券を運搬および／または保管するための装置に関する。前記装置は、有価券を蓄積するための巻取蓄積装置を有し、該巻取蓄積装置は巻胴を含み、該巻胴に有価券を蓄積するために巻き取れるように構成されている。
【０００２】
未だ公開されていないＤＥ１０２００８０３８８０１から、現金カセットの形態で構成された運搬可能な巻取蓄積装置が開示されている。この巻取蓄積装置は、たとえば現金自動預け払い機、セルフレジシステムおよび／または自動金庫レジにおいて使用される。
【０００３】
公知の現金カセットでは、該現金カセットに収容された紙幣の不当操作、とりわけ盗難を防止するために、位置センサおよび／または加速度センサおよび／または衝撃センサが使用される。こうするためには、現金カセットはいわゆるインクキットを有し、上述のセンサのうち少なくとも１つが所定の限界値を超え、不当操作が行われようとしていたことが推定される場合、該インクキットは作動される。このインクキットが作動されると、現金カセット内にある有価券のうち少なくとも一部、有利には全部が少なくとも部分的に、着色剤によって着色されるように、該現金カセット内において該着色剤が放出される。加速度センサおよび／または位置センサおよび／または衝撃センサを使用することの問題点は、全く不当操作が行われようとしていないにもかかわらず、現金カセットの運搬時にこのセンサによってインクキットが誤作動してしまうことが多いことである。たとえば、現金カセットを故意ではなく下に落としてしまうとインクキットは作動され、このインクキットの作動によって、現金カセットに収容されている有価券の価値は不必要に下がってしまい、元に戻らなくなる。またこのことにより、現金カセットを洗浄したりインクキットを交換したりするために、大きな手間と高いコストが発生する。
【０００４】
現金カセットの運搬時に前記インクキットがこのように不必要に作動するのを防止するための一手段として、運搬時には現金カセットを運搬モードに切り替え、前記加速度センサおよび／または位置センサおよび／または衝撃センサをデアクティベートすることにより、予め設定された限界値を超えた場合でも作動することが無いようにする手段がある。ここで問題なのは、現金カセットの不当操作を行おうとする試み、および／または現金カセットの不当操作が簡単になり、現金カセットに収容されている有価券のセキュリティが低減することである。
【０００５】
本発明の課題は、不当操作を行おうとする試みを高信頼性かつ確実に検出して防止できる、有価券を運搬および／または保管を行うための装置を提供することである。
【０００６】
前記課題は、請求項１の構成を有する装置によって解決される。従属請求項に、本発明の有利な実施形態が記載されている。
【０００７】
巻胴の回転運動を検出するためのセンサを設けることにより、該巻胴の回転運動を常に高信頼性かつ確実に検出できるようになる。フィルムまたはベルトを用いて巻胴に巻き取られてかつ巻取蓄積装置に蓄積された有価券に到達するためには、該巻胴を強制的に回転させなければならない。フィルムを切断するのは非常に面倒であり、フィルムを切断すると、通常は、巻き取られた有価券が損傷してしまい、この損傷によって有価券は使用不能となってしまう。したがって、巻取蓄積装置の不当操作を行おうとする場合、有価券に到達するために巻胴を回転させる必要がある。このときにセンサによって巻胴の回転運動が検出され、装置が、回転運動を許可するモードにない場合、不当操作が行われようとしていると推定され、不法に得た有価券を不当操作の実行者が流通させるのを阻止するための適切なステップを開始することができる。
【０００８】
シャフトの長手軸を中心として回転可能であるように該シャフトを介して巻胴を支承し、センサが該シャフトの回転運動を検出するように構成すると有利である。巻胴が支承されたシャフトと該巻胴とが相対回動不能に結合されていることにより、シャフトが回転運動すると巻胴も強制的に回転運動することになり、これによって、検出するのが容易であるシャフトの回転運動から巻胴の回転運動を高信頼性で検出することができる。このことの代わりに択一的に、巻胴を形状接続的に、たとえば伝動装置を介して、シャフトに接続することもできる。
【０００９】
本発明の装置はとりわけ、巻取蓄積装置に蓄積された有価券を無効化するための無価値化ユニットと、該無価値化ユニットを制御するための制御ユニットとを含む。前記無価値化ユニットは有利にはインクキットを含む。このインクキットは、蓄積された有価券を着色剤によって不可逆的に着色することにより、該有価券を使用不能にし、盗難しようとした人が使用できないようにするためのものである。
【００１０】
とりわけ、センサによって巻胴の回転運動が検出された場合に、前記制御ユニットは無価値化ユニットを作動させる。前記無価値化ユニットの作動とは、蓄積された有価券を当該無価値化ユニットによって無効にすることを指す。前記無価値化ユニットがインクキットである場合、無価値化ユニットの作動とは、蓄積された有価券をインクキットが着色することを意味する。
【００１１】
本発明の有利な実施形態では、アクティベートモードの場合には、センサが巻胴の回転運動を検出したときに前記制御ユニットは該無価値化ユニットを作動させ、デアクティベートモードの場合には、該センサが該巻胴の回転運動を検出しても該制御ユニットは該無価値化ユニットを作動させない。前記デアクティベートモードはとりわけ、有価券を取り扱うための装置内に本発明の装置が収容されている場合に用いられる、本発明の装置のモードである。前記有価券を取り扱うための装置はとりわけ、現金自動預け払い機、セルフレジシステムおよび／または自動金庫レジである。このデアクティベートモードでは巻胴の回転運動が許可される。というのも、有価券を取り扱うための装置によって有価券の預入および／または引出が行われる場合には巻胴を強制的に回転させなければならず、有価券を蓄積および／または取り出すために巻胴の回転を行わなければならないからである。それゆえ、前記デアクティベートモードはＡＴＭ（Automatic Teller Machine）モードとも称される。
【００１２】
アクティベートモードはとりわけ、本発明の装置が運搬されるため、有価券を取り扱うための装置内には収容されていない場合に作動されるモードである。この運搬中に巻胴の回転運動が行われることはない。というのも、この運搬中には巻取蓄積装置に有価券を供給したり該巻取蓄積装置から有価券を取り出したりすることがないからである。それゆえ、運搬中に巻胴が回転運動した場合、有価券が不法に取り出されようとしており、不当操作がなされようとしていることを推定することができる。それゆえアクティベートモードでは、センサが回転運動を検出すると無価値化ユニットが作動される。それゆえ、アクティベートモードは運搬モードと称される。
【００１３】
アクティベートモードとデアクティベートモードとの間で切り替えることにより、巻取蓄積装置に有価券を供給して取り出すための有価券取扱装置内において有価券を運搬および／または保管するための装置が使用される場合、無価値化ユニットが誤って作動されないようにすることができる。
【００１４】
このことの代わりに択一的に、有価券取扱装置内において有価券を運搬および／または保管するための装置が使用される場合、センサをデアクティベートモードに移行させ、このことにより、デアクティベートモードにおいてセンサが情報を制御ユニットへ伝送しないようにし、巻胴が回転運動しても該制御ユニットが無価値化ユニットを作動させないようにすることができる。
【００１５】
本発明の特に有利な実施形態では、巻胴が繰り出し方向に回転運動していることをセンサが検出した場合、制御ユニットは無価値化ユニットを作動させる。ここでは前記繰り出し方向は、有価券を取り出すための巻胴の回転方向である。このことにより、実際に有価券が巻取蓄積装置から取り出される場合にのみ無価値化ユニットが作動され、巻取蓄積装置への有価券の供給のみが可能であるように巻胴が動いた場合には無価値化ユニットが作動されないようにすることができる。
【００１６】
さらに有利には、本発明の装置は、該装置の向きの変化を検出するための位置センサ、および／または、該装置の加速度を検出するための加速度センサ、および／または、該装置の衝撃的な負荷を検出するための衝撃センサを含む。また本発明の装置は、記憶領域を有する記憶部品を含む。この記憶領域には、事前設定された向きの変化の最大許容限界値、加速度の限界値、および／または衝撃的な負荷の限界値が記憶される。向きの変化および／または加速度および／または衝撃的な負荷が検出されると、前記制御ユニットは、１つまたは複数の前記センサによって求められた値と各限界値とを比較し、該センサによって求められた値のうち少なくとも１つが、対応する限界値を超えた場合、該制御ユニットはこれについての情報を有するデータを記憶部品の記憶領域に記憶する。前記限界値を超えた後、事前設定された時間内にセンサが巻胴の回転運動を検出した場合、前記制御ユニットは無価値化ユニットを作動させる。このことにより、本発明の装置の運搬中の無価値化ユニットの誤作動を回避するか、または少なくとも低減させることができる。すなわち、少なくとも１つの限界値を超えてなお巻胴が回転運動した場合にのみ、無価値化ユニットは作動されるように構成される。この構成により、たとえば、本発明の装置を貴重品運搬業者の従業員が意図せずに落としてしまった場合には、無価値化ユニットが作動されないようになる。
【００１７】
本発明の特に有利な実施形態では、前記事前設定された時間は第１の時間である。事前設定された第２の時間内に、事前設定された頻度で少なくとも１つの限界値を超えたことを前記制御ユニットが検出した場合にのみ、該制御ユニットは無価値化ユニットを作動させる。このことにより、前記限界値のうちいずれかを唯１回上回っただけでは、また僅かな回数だけ上回っただけでは、無価値化ユニットが作動されないようにすることができ、このことによって誤作動の数が低減する。この実施形態は、たとえば有価券を手に入れるために装置を機械的に損傷するためには、装置を破壊するために、事前設定された頻度で限界値を超えなければならないという仮定に基づいている。
【００１８】
このセンサはとりわけホールセンサを含む。その際に有利なのは、少なくとも１つの磁石が巻胴のシャフトに相対回動不能に結合されることにより、ホールセンサによって該シャフトの回転運動が検出され、ひいては巻胴の回転運動が検出されるようにすることである。
【００１９】
本発明の装置はとりわけ、巻取蓄積装置およびセンサが収容された現金カセットを含む。本発明の装置を現金カセットの形態で構成することにより、巻取蓄積装置を簡単に取り扱えるようになり、このことによって、現金自動預け払い機および／またはセルフレジシステムおよび／または自動金庫レジと現金センターとの間で運搬できる、運搬可能な巻取蓄積装置が簡単に実現される。
【００２０】
以下、実施例に基づき、添付図面を参照して、本発明を詳細に説明する。以下の記載内容から、本発明の別の構成および利点を導き出すことができる。
【図面の簡単な説明】
【００２１】
【図１】運搬可能な巻取蓄積装置の概略図である。
【図２】図１の運搬可能な巻取蓄積装置の無価値化ユニットの駆動制御のフローチャートである。
【図３】本発明の別の実施形態の巻取蓄積装置の巻胴を概略的に示す斜視図である。
【図４】図３の巻胴の一部を概略的に示す斜視図である。
【００２２】
図１に、有価券を運搬および／または保管するための装置を概略的に示す。この装置は、運搬可能な巻取蓄積装置２０として構成されている。運搬可能な前記巻取蓄積装置２０は、巻取コア２を有する巻胴１を含む。前記巻取コア２を囲む外側の円は、最大限に巻き取った状態にあるときの巻胴１の円周を概略的に示す。巻胴１はとりわけ、シャフト２２の長手軸を中心として回転可能であるように該シャフト２２に支承されている。その際には、巻胴１はシャフト２２に相対回動不能および／または摩擦接続的に結合されている。シャフト２２は主軸とも称され、有利には駆動ユニットによって駆動される。
【００２３】
運搬可能な前記巻取蓄積装置２０はさらに２つのフィルム胴３，４を含み、両フィルム胴３，４はそれぞれ１つの駆動軸５，６に設けられている。両駆動軸５，６は、１つのモータによって駆動されるか、または２つのモータ（図示されていない）によって駆動されるように構成されている。その代わりに択一的に、すべてのシャフト５，６，２２が、同じ中央の駆動ユニットによって駆動されるように構成することもできる。
【００２４】
第１のフィルム胴３には第１のフィルムベルト７が巻き取られており、第２のフィルム胴４には第２のフィルムベルト１１が巻き取られている。両フィルムベルト７，１１は、多数のローラ８ａ，８ｂ，９，１０，１２ａ，１２ｂ，１３，１４を介して案内される。
【００２５】
前記巻取蓄積装置２０に蓄積すべき有価券は矢印１５の方向に、ケーシング２４の図中に示されていない開口を通って、２つのローラ９，１３間に形成された供給領域内へ案内される。供給された有価券は、前記供給領域においてまず第１のフィルムベルト７によって捉えられ、次に、ローラ１３の周面上に案内される第２のフィルムベルト１１と接触する。ローラ９，１３が相互にずれていることにより、このように時間的にずれて接触するようになる。供給方向で見てローラ１３より下流において、第１のフィルムベルト７と第２のフィルムベルト１１とが押し付け合い、これによって両フィルムベルト間に位置する有価券は保持される。次に、両フィルムベルト７，１１は、両フィルムベルト７，１１の間にある有価券とともに、巻胴１に供給方向Ｐ１で巻き取られる。
【００２６】
それとは逆に、巻胴１に蓄積された有価券は、前記２つのフィルムベルト７，１１を繰り出すことにより、矢印Ｐ１と逆方向の繰り出し方向に繰り出され、このことにより、有価券を取り出せるようにする。
【００２７】
前記巻取蓄積装置２０はさらに、巻胴１の回転運動を検出するためのセンサ２６も含む。このセンサ２６はとりわけ、該センサ２６によって主軸２２の回転運動が検出されるように構成される。このことに対して択一的または付加的に、センサ２６によって巻胴１の回転運動が直接検出されるように構成することもできる。
【００２８】
巻取蓄積装置２０はさらに、図中にないインクキットと、該インクキットを制御するための制御ユニットとを有する。この制御ユニットも図中に示されていない。このインクキットは、不当操作が行われようとした場合に、巻取蓄積装置２０に蓄積された有価券を無価値化するために使用される。こうするためには、不当操作が行われようとした場合に前記制御ユニットが前記インクキットを作動させ、該インクキットの着色剤によって有価券が不可逆的に着色されることにより、盗難しようとした人が該有価券を使用できないようにする。
【００２９】
センサ２６が巻胴１の回転運動を検出した場合、該センサ２６はこの回転運動についての情報を含むデータを前記制御ユニットへ送信し、アクティベートモードが設定されている場合には、該制御ユニットはこの情報に基づいてインクキットを作動させる。それに対してデアクティベートモードが設定されている場合には、巻胴１が回転運動しても前記制御ユニットはインクキットを作動させない。前記デアクティベートモードはとりわけ、運搬可能な前記巻取蓄積装置２０が、現金自動預け払い機および／またはセルフレジシステムおよび／または自動金庫レジ、および／または、該巻取保管装置２０内への充填および／または該巻取蓄積装置２０からの全蓄積物取り出しが行われるいわゆるドッキングステーション内に収容されたときに設定される。というのもこのような場合には、有価券の取り出しおよび／または供給を行うために巻胴１を回転させなければならないからである。
【００３０】
本発明の有利な実施形態では、アクティベートモードであっても、繰り出し方向の回転運動が検出された場合にのみ、前記制御ユニットはインクキットを作動させる。それに対して、巻胴１が供給方向Ｐ１に回転運動している場合、インクキットは作動されない。
【００３１】
巻胴１の回転運動を検出し、場合によってはインクキットを作動させることにより、不当操作を行おうとする試みを有効に阻止できるようになる。たとえば位置センサ、加速度センサ、衝撃センサ、または巻取蓄積装置２０の蓋の開放を検出するためのセンサ等である別のセンサが設けられている場合、盗難しようとしている人がこの別のセンサを騙すのに成功しても、蓄積された有価券に到達するためには、盗難しようとする人はそのつど必ず、巻胴１を繰り出し方向に回転させなければならない。
【００３２】
上述の実施形態に代わる本発明の択一的な実施形態では、巻取蓄積装置２０はセンサ２６の他にさらに、該巻取蓄積装置２０の向きの変化を検出するための位置センサ、および／または、該巻取蓄積装置２０の加速度を検出するための加速度センサ、および／または、該巻取蓄積装置２０の衝撃状の負荷を検出するための衝撃センサを含む。これらのセンサのうち少なくとも１つを用いて、事前設定された限界値を超えたことが検出された場合には、公知の運搬可能な巻取蓄積装置２０とは異なり、インクキットを直ちに作動させるのではなく、前記少なくとも１つの限界値を超えた後に巻胴１の回転運動がセンサ２０によって検出された場合にのみインクキットを作動させる。このようにして、インクキットの誤作動の数、すなわち、不当操作を行おうとする試みが無いので不要であるインクキットの作動の回数が低減する。このことによっても、手間およびコストが削減される。
【００３３】
図２に、制御ユニットによる巻取蓄積装置２０のインクキットの制御のフローチャートを示す。この方法はステップＳ１０にて開始される。
【００３４】
ステップＳ１２において、センサ２６によって巻胴１の回転運動が検出されると、次にステップＳ１４において、どのモードが設定されているかを検査する。この検査により、アクティベートモードが設定されていると判定された場合、前記制御ユニットはステップＳ１６においてインクキットを作動させる。それに対し、ステップ１４における前記検査により、デアクティベートモードが設定されていると判定された場合、前記制御ユニットはステップＳ１８において前記インクキットを作動させない。次に、ステップＳ２０において方法を終了する。
【００３５】
本発明の別の択一的な実施形態では、最初に、どの状態が設定されているかを検査することもできる。デアクティベートモードが設定されている場合、センサ２６をデアクティベートし、該センサ２６によって回転運動が全く検出されなくなるようにする。アクティベートモードの場合にのみ、センサ２６もアクティベート状態にとどまり、この場合には、巻胴１の回転運動がセンサ２６によって検出された場合、前記制御ユニットは前記インクキットを作動させる。
【００３６】
図３は、本発明の別の実施形態の運搬可能な巻取蓄積装置の巻胴３０を概略的に示す斜視図である。図４は、図３の巻胴３０の一部を概略的に示す斜視図である。同図では巻胴３０のうち、主軸３２と、該主軸３２に相対回動不能に結合された歯車３３と、ホールセンサユニット３４とのみが示されている。
【００３７】
前記ホールセンサユニット３４は、位置固定されて配置されたディスク３６に固定的に結合されている。前記ディスク３６は、巻胴３０が回転運動しても連動して回転することはない。歯車３３には総じて４つの磁石３８ａ〜３８ｄが設けられており、該歯車３３に固定的に結合されている。巻胴３０が回転運動するとこれらの磁石３８ａ〜３８ｄも共に回転し、この磁石３８ａ〜３８ｄの回転によって、ホールセンサユニット３４を用いて巻胴３０の回転運動を簡単に検出することができる。上記にて図１および２を参照して説明したように、巻胴３０の回転運動がホールセンサユニット３４によって検出された場合、運搬可能な巻取蓄積装置がどの状態にあるかに応じて、図中にない無価値化ユニットが作動されるか、または作動されない。
【００３８】
本発明の別の択一的な実施形態では、４つより多数の磁石３８ａ〜３８ｄを歯車３３に固定するか、または４つより少数の磁石３８ａ〜３８ｄを歯車３３に固定することもできる。
【符号の説明】
【００３９】
１，３０  巻胴
２        巻取コア
３，４    フィルム胴
５，６    駆動軸
７，１１  フィルムベルト
８ａ，８ｂ，９，１０，１２ａ，１２ｂ，１３，１４  ローラ
１５      供給方向
２０      巻取蓄積装置
２２，３２  主軸
２４      ケーシング
２６，３４  センサ
３３      歯車
３６      ディスク
３８ａ〜３８ｄ  磁石
Ｓ１０〜Ｓ２０  ステップ
【図１】
2013525926.tif 000003
【図２】
2013525926.tif 000004
【図３】
2013525926.tif 000005
【図４】
2013525926.tif 000006
【国際調査報告】
2013525926.tif 000007
2013525926.tif 000008
2013525926.tif 000009
2013525926.tif 000010
2013525926.tif 000011
2013525926.tif 000012